(57)【要約】【課題】本発明は、電話機の保留スイッチに関するものであり、片手で保留スイッチを操作することができると共に、その操作を確実に行うことができる電話機を提供することを目的とする。【解決手段】電話機本体と、この電話機本体の載置台に置かれる送受話器とを備えた電話機において、載置台に、前記送受話器をオンフック状態とする場合に前記送受話器の受話器部が嵌入する第１の凹所と、この凹所とは別に第２の凹所を形成し、この第２の凹所に相手との通話を一時保留状態にする保留スイッチを設け、第２の凹所に受話器部又は送受話器の送話器部が嵌入することによって、受話器部又は送話器部によって保留スイッチを投入状態にする。【選択図】          図２
2004158915.tif 000002
【特許請求の範囲】
【請求項１】
電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所に相手との通話を一時保留状態にする保留スイッチを設け、前記第２の凹所に前記受話器部又は前記送受話器の送話器部が嵌入することによって、前記受話器部又は送話器部によって前記保留スイッチを投入状態にすることを特徴とする電話機。
【請求項２】
前記第２の凹所は、オンフック状態のとき前記送話器部が嵌入する凹所と前記第１の凹所との間の前記載置台部分に設けられたことを特徴とする請求項１記載の電話機。
【請求項３】
前記第２の凹所の壁面に突片又は凹部を形成し、前記受話器部又は送話器部の壁面に、前記突片又は凹部が嵌め合いとなる凹部又は突片を形成したことを特徴とする請求項１記載の電話機。
【請求項４】
前記第２の凹所の、前記第１の凹所から遠ざかるところに存在する壁面の両脇に一対の突片を形成し、前記受話器部又は送話器部に前記一対の突片が嵌入する一対の凹部を形成したことを特徴とする請求項１記載の電話機。
【請求項５】
電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所の壁面に凹部を形成し、この凹部に相手との通話を一時保留状態にする保留スイッチを設け、前記第２の凹所に前記受話器部又は前記送受話器の送話器部が嵌入した状態で、前記凹部に嵌入して前記保留スイッチを投入状態にする突片を前記受話器部又は送話器部の壁面から突設して形成したことを特徴とする電話機。
【請求項６】
前記保留スイッチが投入状態にあるときに点灯する表示ランプを設けたことを特徴とする請求項５記載の電話機。
【請求項７】
前記突片が前記凹部に嵌入状態にある場合に、前記送受話器の取手の内側の一部分が前記載置台の一部に当接することを特徴とする請求項５記載の電話機。
【請求項８】
前記第２の凹所は、オンフック状態のとき前記送話器部が嵌入する凹所と前記第１の凹所との間の前記載置台部分に設けられたことを特徴とする請求項５記載の電話機。
【請求項９】
電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所の壁面に突片を形成し、前記受話器部又は前記送受話器の送話器部に前記突片が嵌入する凹部を形成し、この凹部に相手との通話を一時保留状態にする保留スイッチを設け、前記突片が前記凹部に嵌入して前記保留スイッチを投入状態にすることを特徴とする電話機。
【請求項１０】
電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所の壁面と、前記受話器部又は前記送受話器の送話器部がこの凹部に嵌入したときに前記壁面に対向する前記受話器部又は送話器部の壁面に、相手との通話を一時保留状態にする保留スイッチを構成する接触型又は非接触型の電極板設けたことを特徴とする電話機。
【請求項１１】
電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、前記受話器部又は前記送受話器の送話器部に人の手で操作できない状態で保留スイッチを設け、前記受話器部又は送話器部が前記第２の凹部に嵌入した場合に前記保留スイッチを投入状態にする手段を前記第２の凹所に設けた事を特徴とする電話機。
【発明の詳細な説明】
【０００１】
【発明の属する技術分野】
本発明は、家庭やオフィスで使用される卓上型や壁掛型などの電話機に関するもので、特に通話時に相手方との通話を一時保留状態にする保留スイッチ部分の技術に関するものである。
【０００２】
【従来の技術】
家庭やオフィスで使用される卓上型や壁掛型などの電話機は、電話機本体と送受話器とから構成されており、電話機本体に相手との通話を一時保留にする保留ボタンが設けられている。通話を保留状態にするには、一方の手で送受話器を持ち、他方の手で保留ボタンを押さなければならない。他の仕事をしているときに電話がかかってきた場合等、一方の手で送受話器を持って相手方と話はできても、もう一方の手が塞がっている場合には、保留状態にしようと思っても保留ボタンを押すことができない。
【０００３】
そこで、送受話器側に保留ボタンを設けることが考えられた。例えば、送受話器の下端部に保留ボタンを設け、通話を保留状態にしたいときには、送受話器を例えばテーブルの上に置けば、保留ボタンが押されて保留状態にすることができる（下記特許文献１参照）。ところが、この手段では、片手で保留ボタンを操作することはできるが、送受話器を置く場所によっては、保留ボタンが正しく押されない場合がある。例えば書類が乱雑に多く置かれているところ等に送受話器を置く場合等である。
【０００４】
次に、送受話器の取手の内側に保留ボタンを設けたものがある（下記特許文献２参照）。この手段によると、片手で保留ボタンを押すことができるけれども、送受話器の取手を握った時にいきなり保留ボタンを押してしまって、相手方との通話ができない状態になることがある。
【０００５】
【特許文献１】
実開昭６１−１８７１４４号公報
【０００６】
【特許文献２】
実開昭６１−８３３６１号公報
【０００７】
【発明が解決しようとする課題】
本発明は、上記の課題を解決するためになされたもので、片手で保留スイッチを操作することができることは勿論のこと、確実に保留状態にすることができ、また、電話がかかってきて送受話器を取った時、誤って保留状態にしてしまうことがない電話機を提供することを目的としたものである。
【０００８】
【課題を解決するための手段】
上記の課題を解決するために、本発明は、電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所に相手との通話を一時保留状態にする保留スイッチを設け、前記第２の凹所に前記受話器部又は前記送受話器の送話器部が嵌入することによって、前記受話器部又は送話器部によって前記保留スイッチを投入状態にすることを特徴とする。また、前記第２の凹所は、オンフック状態のとき前記送話器部が嵌入する凹所と前記第１の凹所との間の前記載置台部分に設けられたことを特徴とする。
【０００９】
また、本発明は、第２の凹所の壁面に凹部を形成し、この凹部に相手との通話を一時保留状態にする保留スイッチを設け、前記第２の凹所に受話器部又は送受話器の送話器部が嵌入した状態で、前記凹部に嵌入して前記保留スイッチを投入状態にする突片を受話器部又は送話器部の壁面から突設して形成したことを特徴とする。
【００１０】
また、半発明は、第２の凹所の壁面に突片を形成し、受話器部又は送受話器の送話器部に突片が嵌入する凹部を形成し、この凹部に相手との通話を一時保留状態にする保留スイッチを設け、前記突片が前記凹部に嵌入して前記保留スイッチを投入状態にすることを特徴とする。
また、本発明は、第２の凹所の壁面と、受話器部又は送受話器の送話器部がこの凹部に嵌入したときに前記壁面に対向する受話器部又は送話器部の壁面に、相手との通話を一時保留状態にする保留スイッチを構成する接触型又は非接触型の電極板設けたことを特徴とする。
【００１１】
さらに、本発明は、電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、前記受話器部又は前記送受話器の送話器部に人の手で操作できない状態で保留スイッチを設け、前記受話器部又は送話器部が前記第２の凹部に嵌入した場合に前記保留スイッチを投入状態にする手段を前記第２の凹所に設けた事を特徴とする。
【００１２】
【作用】
本発明によれば、電話機本体に設けられている載置台の第２の凹所に受話器部又は送話器部を嵌入することによって保留状態にできるので、保留スイッチの操作を確実に行うことができる。また、送受話器をとってオフフック状態にした場合に、手で保留スイッチを触って、保留状態にしてしまうことはなく、ご操作を防止することができる。
【００１３】
また、第２の凹所の壁面に設けた凹部に送受話器の受話器部又は送話器部に設けた突片を嵌入（又はその逆）すれば、送受話器を安定に保持することができる。
送受話器に凹部を設けて、この中に保留スイッチを設ける等、人の手で保留スイッチを操作できない状態で保留スイッチを設けたので、送受話器をとってオフフック状態にした場合に、手で保留スイッチを触って、保留状態にしてしまうことはない。また、保留スイッチは載置台の第２凹所と送受話器の両方に電極を設けて、接触型スイッチ、又は非接触型スイッチを構成すれば、簡単な構成で所期の目的を達成することができる。
【００１４】
【発明の実施の形態】
以下、本発明の実施の形態について図面を参照しながら説明する。
図１、図２に示すように、本発明に係る電話機は電話機本体１と、送受話器２とからなり、送受話器２はケーブル３によって電話機本体１と接続されている。送受話器２は、電話機本体１に設けられている載置台４に置かれる。載置台４には３個の凹所５，６，７が設けられており、通常、送受話器２の受話器部８は凹所５に、送話器部９は凹所７に嵌り込むように、送受話器２は載置台４に置かれる。スイッチの操作部１０は受話器部８で押されて、通話が切断される状態、つまり、オンフック状態になる。１１はスピーカからの音声を出す孔である。
【００１５】
電話機本体１は脚１２によって凹所５側が上になるように傾斜して支持されている。凹所６の壁面１３から、凹所５に向かう方向とは逆方向に凹部１４が形成されている。この凹部１４には、相手との通話を一時保留状態にする保留スイッチ１５が設けられている。受話器部８の壁面から突片１６が突出して形成されている。この突片１６は、凹所６に受話器部８が嵌入した状態で、凹部１４に嵌入して保留スイッチ１５を投入状態にする。
【００１６】
１８は、載置台４の一部に設けられた表示ランプであり、保留スイッチ１５が投入状態にあるとき点灯して、保留状態であることを知らせるためのものである。この表示ランプ１８は電話機本体１に設けてもよい。
突片１６が保留スイッチ１５を操作する構成は、例えば図３ａ、図３ｂに示す通りである。即ち、保留スイッチ１５の操作部１９と突片１６とが対向しており、操作部１９は保留スイッチの内部に設けられた弾性体によって常に突片１６側に付勢されている。突片１６が凹部１４に入り込むと、その先端で操作部１９を押して、保留スイッチ１５を投入状態にする。突片１６が凹部１４にないときは、図３ｂに示す状態となり、保留スイッチ１５は遮断状態となる。図４は電話機本体１に設けられた保留回路２０に接続された保留スイッチ１５と表示ランプ１８との直列回路を示している。
【００１７】
凹所６は凹所５と７との間に特別に設けたが、凹所６を凹所７に兼ねさせることもできる。また、受話器部８に突片１６を設けて、凹部１４に嵌入するようにしたが、送話器部９に突片１６を設けて、送話器部分９を凹所６に嵌入してもよい。少しケーブル３が邪魔になることはあるが実施可能である。
次に、このように構成された電話機の操作について説明する。
【００１８】
送受話器２の受話器部８が載置台４の凹所５に嵌入し、送話器部９が凹所７に嵌入している状態で、電話がかかってきた場合、送受話器２を取り上げて、相手方と通話（オフフック状態）をする。この時、当方の話し手を交替するために、相手との通話を一時保留状態にしたい場合がある。この時、送受話器２の受話器部８を凹所６に、突片１６を凹部１４に挿入しながら、嵌入する。すると、突片１６によって、操作部１９が押されて保留スイッチ１５が投入状態になる。
【００１９】
すると、表示ランプ１８が点灯し保留状態であることを表示する。送受話器２が凹所６から脱落しそうになっても、突片１６が凹部１４の内壁あるいは、凹部１４の入り口部分に当接し、送受話器２が凹所６から外れて、保留状態が不用意に解除されてしまうことが無い。この構造は、図１、図２に示す場合はもちろんのこと、特に、壁掛け電話のように、電話機を立てて使用する場合に都合がよい。もちろん、オンフック状態のときに、送受話器２が載置台４から脱落しないように係合部を設ける必要がある。
【００２０】
図５に示すものは、凹所６の壁面から保留スイッチ１５の操作部を突出させたもので、操作部１９はバネにより凹所の壁面から突出している。したがって、受話器部８を凹所６に嵌入すると、受話器部８に押されて保留スイッチ１５は投入状態になる。この構造は、図２の構造に比較すると、突片１６が凹部１４に挿入されていない分、送受話器２が載置台４より外れやすい欠点があるが、上述の従来のものに比較して、実用上問題は無い。
【００２１】
図６に示すものは、凹所６と凹所７との間の峰部分２２を盛り上げて形成したもので、受話器部８を凹所６に嵌入したとき、送受話器２の内側が前記峰部分２２に当接する。このようにすると、送話器部分９が浮いていても送受話器２が安定して設置される。
図７に示すものは、受話器部８に突設した突片１６の幅を広くしたもので、これが挿入される凹所６の壁面１３に設けた凹部１４も横に細長い穴にする。このようにすると、送受話器２をより安定に設置することができる。
【００２２】
図８に示すものは、受話器部８に突片を設ける替わりに凹部１７を設けたもので、保留スイッチ１５の操作部１９を凹所６の壁面１３より突出して設け、これが前記凹部１７に嵌り込むようにしてもよい。この場合、操作部１９は長めとし、凹部１７の底に当接して保留スイッチが投入状態になるようにする。なお、凹溝１７は幅広のスリットでもよい。
【００２３】
図９は、図５の変形例で突片１６と凹部１４による係合部分を設けたもので、安定性がよい利点がある。
図１０、図１１は凹所６の壁面に一対の突片２１ａ，２１ｂと間に保留スイッチ１５を設け、受話器部８に一対のスリット２３ａ、２３ｂを設けたもので、スリット２３ａ、２３ｂに突片２１ａ，２１ｂを挿入することによって送受話器２を安定に載置台４に置くことができる。
【００２４】
図１２は、送受話器２の受話器部８に凹部１４を設け、この凹部１４の底部に保留スイッチ１５を設けたもので、保留スイッチ１５は送受話器２を握っても手で触れることができないので、誤操作することはない。
図１３は受話器部８に保留スイッチ１５を埋め込みその操作部１９を囲むように突片１６，２５を設け、凹所６の壁面に前記突片１６、２５が嵌入する凹部１４，２４を設けたものである。突片１６，２５で保留スイッチ１５の操作部１９は囲われているので、手で操作部１９を押し込むことは無く、誤操作を避けることができる。上記実施例では、送受話器２の受話器部８に凹部とか、突片とか、保留スイッチを設けたが、これらを、送話器部９に設けてもよい。
【００２５】
上記種々の実施例の保留スイッチ１５は操作部が突出した機械スイッチを示したが、このほかにも、凹所６の壁面とこれに対向する受話器部の壁面に保留スイッチの一部を形成する、電極板を設け、この、電極板が接触して保留スイッチが閉じる接触型のスイッチでもよい。また、上記電極板は接触せず、近づくだけで、この間の容量を利用して保留スイッチを投入状態にする非接触型のスイッチでもよい。
【００２６】
【発明の効果】
以上説明したように本発明によれば、電話機本体と、この電話機本体の載置台に置かれる送受話器とを備えた電話機において、前記載置台に、前記送受話器をオンフック状態とする場合に前記送受話器の受話器部が嵌入する第１の凹所と、この凹所とは別に第２の凹所を形成し、この第２の凹所に相手との通話を一時保留状態にする保留スイッチを設け、前記第２の凹所に前記受話器部又は前記送受話器の送話器部が嵌入したとき、前記受話器部又は送話器部によって前記保留スイッチを投入状態にするようにしたので、保留スイッチの操作は確実に行われ、手で送受話器を持ったときに、誤った操作が行われることはない。また、第２の凹所又は、受話器部・送話器部に設けた凹部に受話器部・送話器部、又は第２の凹所に設けた突片を嵌入するようにしたので、送受話器を安定に載置台に保持できる。  また、受話器部又は送話器部に手で操作できないように保留スイッチを設け、第２の凹所に受話器部又は送話器部を嵌入して保留状態とするようにしたので、保留状態は確実で、誤動作することもない。
【図面の簡単な説明】
【図１】本発明の一実施例の電話機の斜視図である。
【図２】同電話機の一部断側面図である。
【図３】（ａ）同電話機の一部分の断面図である。
（ｂ）同電話機の一部分の断面図である。
【図４】同電話機の回路図である。
【図５】本発明の他の実施例の電話機の一部断側面図である。
【図６】同他の実施例の電話機の一部断側面図である。
【図７】同他の実施例の受話器部分の斜視図である。
【図８】同他の実施例の受話器部分の斜視図である。
【図９】同他の実施例の電話機の一部断側面図である。
【図１０】同他の実施例の電話機の斜視図である。
【図１１】図１１の送受話器を載置台に載せた状態の一部断側面図である。
【図１２】同他の実施例の電話機の一部断側面図である。
【図１３】同他の実施例の電話機の一部断側面図である。
【符号の説明】
１      電話機本体
２      送受話器
４      載置台
５      凹所
６      凹所
７      凹所
８      受話器部
９      送話器部
１４      凹部
１５      保留スイッチ
１６      突片
１９      操作部
【図１】
2004158915.tif 000003
【図２】
2004158915.tif 000004
【図３】
2004158915.tif 000005
【図４】
2004158915.tif 000006
【図５】
2004158915.tif 000007
【図６】
2004158915.tif 000008
【図７】
2004158915.tif 000009
【図８】
2004158915.tif 000010
【図９】
2004158915.tif 000011
【図１０】
2004158915.tif 000012
【図１１】
2004158915.tif 000013
【図１２】
2004158915.tif 000014
【図１３】
2004158915.tif 000015